【手続補正書】
【提出日】平成30年11月5日(2018.11.5)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
シンボル期間よりも短い第１の持続時間を有する、制御および／またはデータ信号を送信するための第１のリソースセグメントを識別することと、
前記シンボル期間よりも短い第２の持続時間を有する、制御および／またはデータ信号を送信するための第２のリソースセグメントを識別することと、ここにおいて、前記第１のおよび第２の持続時間の合計の持続時間は、前記シンボル期間よりも短いかまたはそれに等しい、
前記第１のおよび第２のリソースセグメントを利用してノードと通信することと、
を備える、方法。
【請求項２】
前記シンボル期間を有するシンボルを識別することをさらに備え、ここにおいて、通信することは、前記シンボルならびに前記第１のおよび第２のリソースセグメントを利用して通信することを備える、請求項１に記載の方法。
【請求項３】
前記ノードと通信することは、
共通サブフレームにおいて、前記シンボルならびに前記第１のおよび第２のリソースセグメントを利用して通信することを備える、請求項２に記載の方法。
【請求項４】
前記第１のリソースセグメントは、第１のサイクリックプリフィックス（ＣＰ）を備え、前記第２のリソースセグメントは、第２のＣＰを備える、請求項１に記載の方法。
【請求項５】
前記ノードと通信することは、
前記第１のリソースセグメント、前記第２のリソースセグメント、および前記シンボル期間を有するシンボル、において、制御またはデータ信号を受信することを備え、ここにおいて、前記制御またはデータ信号は、前記第１のおよび第２の持続時間ならびに前記シンボル期間に及ぶ、請求項１に記載の方法。
【請求項６】
前記シンボル期間よりも短い第３の持続時間を有する第３のリソースセグメントを識別すること、ここにおいて、前記第１の、第２の、および第３の持続時間の合計の持続時間は、前記シンボル期間よりも長い、
をさらに備え、
ここにおいて、ノードと通信することは、前記第１の、第２の、および第３のリソースセグメントを利用する、
請求項１に記載の方法。
【請求項７】
前記ノードと通信することは、
前記第１のリソースセグメント、前記第２のリソースセグメント、および前記第３のリソースセグメントにおいて、制御またはデータ信号を受信することを備え、ここにおいて、前記制御またはデータ信号は、前記第１の、第２の、および第３の持続時間に及ぶ、請求項６に記載の方法。
【請求項８】
前記第１のリソースセグメント、前記第２のリソースセグメント、またはそれらの組合せは、復調基準信号（ＤＭＲＳ）を備える、請求項１に記載の方法。
【請求項９】
シンボルは、前記ＤＭＲＳの一部を備え、前記シンボルは前記シンボル期間を有しており、前記ＤＭＲＳは、前記第１のおよび第２の持続時間ならびに前記シンボル期間に及ぶ、請求項８に記載の方法。
【請求項１０】
前記第１のリソースセグメント、前記第２のリソースセグメント、またはそれらの組合せは、共通基準信号（ＣＲＳ）を備える、請求項１に記載の方法。
【請求項１１】
シンボルは、前記ＣＲＳの一部を備え、前記シンボルは前記シンボル期間を有しており、前記ＣＲＳは、前記第１のおよび第２の持続時間ならびに前記シンボル期間に及ぶ、請求項１０に記載の方法。
【請求項１２】
前記第１のリソースセグメント、前記第２のリソースセグメント、またはそれらの組合せは、チャネル状態情報（ＣＳＩ）基準信号を備える、請求項１に記載の方法。
【請求項１３】
シンボルは、前記ＣＳＩ基準信号の一部を備え、前記シンボルは前記シンボル期間を有しており、前記ＣＳＩ基準信号は、前記第１のおよび第２の持続時間ならびに前記シンボル期間に及ぶ、請求項１２に記載の方法。
【請求項１４】
ワイヤレス通信のための装置であって、
シンボル期間よりも短い第１の持続時間を有する、制御および／またはデータ信号を送信するための第１のリソースセグメントを識別するための手段と、
前記シンボル期間よりも短い第２の持続時間を有する、制御および／またはデータ信号を送信するための第２のリソースセグメントを識別するための手段と、ここにおいて、前記第１のおよび第２の持続時間の合計の持続時間は、前記シンボル期間よりも短いかまたはそれに等しい、
前記第１のおよび第２のリソースセグメントを利用してノードと通信するための手段と、
を備える、装置。
【請求項１５】
ワイヤレス通信のためのコードを記憶する非一時的なコンピュータ読み取り可能な媒体であって、前記コードは、請求項１ないし１３のいずれか一項に記載の方法を
行うように実行可能な命令を備える、非一時的なコンピュータ読み取り可能な媒体。
【手続補正２】
【補正対象書類名】明細書
【補正対象項目名】０１２９
【補正方法】変更
【補正の内容】
【０１２９】
[0144]  本開示の先の説明は、当業者が本開示を製造するまたは使用することを可能にするために提供されている。本開示への様々な修正は、当業者にとって容易に明らかとなり、ここに定義された一般的な原理は、本開示の範囲から逸脱することなく、他のバリエーションにも適用され得る。したがって、本開示は、ここに説明された例および設計に限定されるべきではなく、ここに開示された原理および新規な特徴と一致する最も広い範囲を与えられるべきである。
以下に本願の出願当初の特許請求の範囲に記載された発明を付記する。
［Ｃ１］  ワイヤレス通信のための方法であって、
シンボル期間よりも短い第１の持続時間を有する第１のリソースセグメントを識別することと、
前記シンボル期間よりも短い第２の持続時間を有する第２のリソースセグメントを識別することと、ここにおいて、前記第１のおよび第２の持続時間の合計の持続時間は、前記シンボル期間よりも短いかまたはそれに等しい、
前記第１のおよび第２のリソースセグメントを利用してノードと通信することと、  を備える、方法。
［Ｃ２］  前記シンボル期間を有するシンボルを識別することをさらに備え、ここにおいて、通信することは、前記シンボルならびに前記第１のおよび第２のリソースセグメントを利用して通信することを備える、Ｃ１に記載の方法。
［Ｃ３］  前記ノードと通信することは、
共通サブフレームにおいて、前記シンボルならびに前記第１のおよび第２のリソースセグメントを利用して通信することを備える、Ｃ２に記載の方法。
［Ｃ４］  前記第１のリソースセグメントは、第１のサイクリックプリフィックス（ＣＰ）を備え、前記第２のリソースセグメントは、第２のＣＰを備える、Ｃ１に記載の方法。
［Ｃ５］  前記ノードと通信することは、
前記第１のリソースセグメント、前記第２のリソースセグメント、および前記シンボル期間を有するシンボル、において、制御またはデータ信号を受信することを備え、ここにおいて、前記制御またはデータ信号は、前記第１のおよび第２の持続時間ならびに前記シンボル期間に及ぶ、Ｃ１に記載の方法。
［Ｃ６］  前記シンボル期間よりも短い第３の持続時間を有する第３のリソースセグメントを識別することと、ここにおいて、前記第１の、第２の、および第３の持続時間の合計の持続時間は、前記シンボル期間よりも長い、
前記第１の、第２の、および第３のリソースセグメントを利用して通信することと、  をさらに備える、Ｃ１に記載の方法。
［Ｃ７］  前記ノードと通信することは、
前記第１のリソースセグメント、前記第２のリソースセグメント、および前記第３のリソースセグメントにおいて、制御またはデータ信号を受信することを備え、ここにおいて、前記制御またはデータ信号は、前記第１の、第２の、および第３の持続時間に及ぶ、Ｃ６に記載の方法。
［Ｃ８］  前記第１のリソースセグメント、前記第２のリソースセグメント、またはそれらの組合せは、復調基準信号（ＤＭＲＳ）を備える、Ｃ１に記載の方法。
［Ｃ９］  シンボルは、前記ＤＭＲＳの一部を備え、前記シンボルは前記シンボル期間を有しており、前記ＤＭＲＳは、前記第１のおよび第２の持続時間ならびに前記シンボル期間に及ぶ、Ｃ８に記載の方法。
［Ｃ１０］  前記第１のリソースセグメント、前記第２のリソースセグメント、またはそれらの組合せは、共通基準信号（ＣＲＳ）を備える、Ｃ１に記載の方法。
［Ｃ１１］  シンボルは、前記ＣＲＳの一部を備え、前記シンボルは前記シンボル期間を有しており、前記ＣＲＳは、前記第１のおよび第２の持続時間ならびに前記シンボル期間に及ぶ、Ｃ１０に記載の方法。
［Ｃ１２］  前記第１のリソースセグメント、前記第２のリソースセグメント、またはそれらの組合せは、チャネル状態情報（ＣＳＩ）基準信号を備える、Ｃ１に記載の方法。
［Ｃ１３］  シンボルは、前記ＣＳＩ基準信号の一部を備え、前記シンボルは前記シンボル期間を有しており、前記ＣＳＩ基準信号は、前記第１のおよび第２の持続時間ならびに前記シンボル期間に及ぶ、Ｃ１２に記載の方法。
［Ｃ１４］  ワイヤレス通信のための装置であって、
シンボル期間よりも短い第１の持続時間を有する第１のリソースセグメントを識別するための手段と、
前記シンボル期間よりも短い第２の持続時間を有する第２のリソースセグメントを識別するための手段と、ここにおいて、前記第１のおよび第２の持続時間の合計の持続時間は、前記シンボル期間よりも短いかまたはそれに等しい、
前記第１のおよび第２のリソースセグメントを利用してノードと通信するための手段と、
を備える、装置。
［Ｃ１５］  前記シンボル期間を有するシンボルを識別するための手段をさらに備え、ここにおいて、通信することは、前記シンボルならびに前記第１のおよび第２のリソースセグメントを利用して通信することを備える、Ｃ１４に記載の装置。
［Ｃ１６］  前記ノードと通信するための前記手段は、
共通サブフレームにおいて、前記シンボルならびに前記第１のおよび第２のリソースセグメントを利用して通信するための手段を備える、Ｃ１５に記載の装置。
［Ｃ１７］  前記第１のリソースセグメントは、第１のサイクリックプリフィックス（ＣＰ）を備え、前記第２のリソースセグメントは、第２のＣＰを備える、Ｃ１４に記載の装置。
［Ｃ１８］  前記ノードと通信するための前記手段は、
前記第１のリソースセグメント、前記第２のリソースセグメント、および前記シンボル期間を有するシンボル、において、制御またはデータ信号を受信するための手段を備え、ここにおいて、前記制御またはデータ信号は、前記第１のおよび第２の持続時間ならびに前記シンボル期間に及ぶ、Ｃ１４に記載の装置。
［Ｃ１９］  前記シンボル期間よりも短い第３の持続時間を有する第３のリソースセグメントを識別するための手段と、ここにおいて、前記第１の、第２の、および第３の持続時間の合計の持続時間は、前記シンボル期間よりも長い、
前記第３のリソースセグメントを利用して通信するための手段と、
をさらに備える、Ｃ１４に記載の装置。
［Ｃ２０］  前記ノードと通信するための前記手段は、
前記第１のリソースセグメント、前記第２のリソースセグメント、および前記第３のリソースセグメントにおいて、制御またはデータ信号を受信するための手段を備え、ここにおいて、前記制御またはデータ信号は、前記第１の、第２の、および第３の持続時間に及ぶ、Ｃ１９に記載の装置。
［Ｃ２１］  前記第１のリソースセグメント、前記第２のリソースセグメント、またはそれらの組合せは、復調基準信号（ＤＭＲＳ）を備える、Ｃ１４に記載の装置。
［Ｃ２２］  シンボルは、前記ＤＭＲＳの一部を備え、前記シンボルは前記シンボル期間を有しており、前記ＤＭＲＳは、前記第１のおよび第２の持続時間ならびに前記シンボル期間に及ぶ、Ｃ２１に記載の装置。
［Ｃ２３］  前記第１のリソースセグメント、前記第２のリソースセグメント、またはそれらの組合せは、共通基準信号（ＣＲＳ）を備える、Ｃ１４に記載の装置。
［Ｃ２４］  シンボルは、前記ＣＲＳの一部を備え、前記シンボルは前記シンボル期間を有しており、前記ＣＲＳは、前記第１のおよび第２の持続時間ならびに前記シンボル期間に及ぶ、Ｃ２３に記載の装置。
［Ｃ２５］  前記第１のリソースセグメント、前記第２のリソースセグメント、またはそれらの組合せは、チャネル状態情報（ＣＳＩ）基準信号を備える、Ｃ１４に記載の装置。
［Ｃ２６］  シンボルは、前記ＣＳＩ基準信号の一部を備え、前記シンボルは前記シンボル期間を有しており、前記ＣＳＩ基準信号は、前記第１のおよび第２の持続時間ならびに前記シンボル期間に及ぶ、Ｃ２５に記載の装置。
［Ｃ２７］  ワイヤレス通信のための装置であって、
プロセッサと、
前記プロセッサと電子通信するメモリと、
前記メモリに記憶された命令と、を備え、ここにおいて、前記命令は、前記装置に、      シンボル期間よりも短い第１の持続時間を有する第１のリソースセグメントを識別することと、
前記シンボル期間よりも短い第２の持続時間を有する第２のリソースセグメントを識別することと、ここにおいて、前記第１のおよび第２の持続時間の合計の持続時間は、前記シンボル期間よりも短いかまたはそれに等しい、
前記第１のおよび第２のリソースセグメントを利用してノードと通信することと、    を行わせるように、前記プロセッサによって実行可能である、
装置。
［Ｃ２８］  前記命令は、前記装置に、
前記シンボル期間を有するシンボルを識別することと、
前記シンボルならびに前記第１のおよび第２のリソースセグメントを利用して通信することと、
を行わせるように、前記プロセッサによって実行可能である、Ｃ２７に記載の装置。
［Ｃ２９］  前記ノードと通信するために、前記命令は、前記装置に、
共通サブフレームにおいて、前記シンボルならびに前記第１のおよび第２のリソースセグメントを利用して通信すること
を行わせるように、前記プロセッサによって実行可能である、Ｃ２８に記載の装置。
［Ｃ３０］  ワイヤレス通信のためのコードを記憶する非一時的なコンピュータ読み取り可能な媒体であって、前記コードは、
シンボル期間よりも短い第１の持続時間を有する第１のリソースセグメントを識別することと、
前記シンボル期間よりも短い第２の持続時間を有する第２のリソースセグメントを識別することと、ここにおいて、前記第１のおよび第２の持続時間の合計の持続時間は、前記シンボル期間よりも短いかまたはそれに等しい、
前記第１のおよび第２のリソースセグメントを利用してノードと通信することと、  を行うように実行可能な命令を備える、非一時的なコンピュータ読み取り可能な媒体。